(57)【要約】  本発明は、表示装置のための光導波体（５）およびかかる光導波体の制御方法に関する。光導波体（５）は、スイッチング可能な入射ホログラム（５３）と、スイッチング可能な入射ホログラム（５３）をスイッチングする電極とを有する。この電極は、ピクセルマトリックス（７１）を有する電極アレイ（７０）として構成されている。ピクセルマトリックス（７１）のピクセル（７２）を、個別にスイッチングすることができる。この目的で、ピクセル（７２）を電圧源（７３）と接続することができる。ピクセル（７２）の制御は、制御ユニット（７４）によって行われる。
2021528682.tif 000002
【特許請求の範囲】
【請求項１】
スイッチング可能な入射ホログラム（５３）と、
スイッチング可能な前記入射ホログラム（５３）をスイッチングする電極と
を備え、
前記電極は電極アレイ（７０）として構成されている、
表示装置のための光導波体（５）。
【請求項２】
前記電極アレイ（７０）はピクセル構造を有しており、該ピクセル構造のピクセルは電圧源（７３）を介してスイッチング可能である、請求項１記載の光導波体（５）。
【請求項３】
ピクセルのスイッチングにより当該光導波体（５）の活性層が、前記ピクセルに割り当てられた前記入射ホログラム（５３）のポジションで当該光導波体（５）に光（Ｌ１）を入射可能な状態にされる、請求項２記載の光導波体（５）。
【請求項４】
当該光導波体（５）の前記活性層は液晶液滴を有する、請求項３記載の光導波体（５）。
【請求項５】
前記電極アレイ（７０）は制御ユニット（７４）によって制御可能である、請求項２から４までのいずれか１項記載の光導波体（５）。
【請求項６】
表示装置のための請求項１から５までのいずれか１項記載の光導波体（５）の制御方法であって、
制御ユニット（７４）を用いて、前記光導波体（５）の入射ホログラム（５３）の電極アレイ（７０）を、前記光導波体（５）に光（Ｌ１）が入射されない領域（７７）が実現されるように制御する（Ｓ３）、
光導波体（５）の制御方法。
【請求項７】
前記光導波体（５）に光（Ｌ１）が入射されない前記領域（７７）は、表示すべき画像（７５）のうち、表示すべき画像内容（７６）が存在しない領域と一致する、請求項６記載の方法。
【請求項８】
画像を生成する画像生成ユニット（１）と、
虚像（ＶＢ）を生成するためにミラーユニット（３）に向けて前記画像を投影する光学ユニット（２）と
射出瞳を拡開するために、請求項１から５までのいずれか１項記載の少なくとも１つの光導波体（５）と、
を有する、虚像（ＶＢ）を生成する装置。
【請求項９】
移動手段の操作者に対し虚像（ＶＢ）を生成するために、請求項８記載の装置を備えた移動手段。
【発明の詳細な説明】
【技術分野】
【０００１】
本発明は、表示装置のための光導波体およびかかる光導波体の制御方法に関する。本発明はさらに、かかる光導波体を使用し虚像を生成する装置に関する。
【０００２】
ＨＵＤとも呼ばれるヘッドアップディスプレイとは、表示すべき内容が観察者の視野内に挿入されることから、観察者が自身の視線を維持できる表示システムのことであると解される。かかるシステムはそれらの複雑さおよびコストゆえに、元々は主として航空分野において利用されてきたが、いまでは自動車分野においても量産でそれらのシステムが組み込まれるようになってきている。
【０００３】
ヘッドアップディスプレイは一般に、画像生成器と光学ユニットとミラーユニットとから成る。画像生成器は画像を生成する。光学ユニットはその画像をミラーユニットへ導く。画像生成器は、しばしば画像生成ユニットまたはＰＧＵ（Ｐｉｃｔｕｒｅ  Ｇｅｎｅｒａｔｉｎｇ  Ｕｎｉｔ）とも呼ばれる。ミラーユニットは、部分的に反射性である光透過性のガラス板である。したがって観察者は、画像生成器により表示された内容を虚像として見ると同時に、ガラス板背後の実世界も見る。ミラーユニットとして、自動車分野ではしばしばフロントガラスが用いられ、その湾曲形状を表示にあたり考慮する必要がある。光学ユニットとミラーユニットとの共働によって、虚像は画像生成器により生成された画像の拡大表示となる。
【０００４】
観察者は、いわゆるアイボックスのポジションだけからしか、虚像を観察できない。理論上の観察窓に相応する高さおよび幅を有する領域が、アイボックスと呼ばれる。観察者の目がアイボックス内に位置しているかぎりは、虚像のすべての要素を目で見ることができる。これに対し目がアイボックスの外側に位置していると、虚像は観察者には部分的にしか見えず、またはまったく見えない。したがってアイボックスが大きくなればなるほど、観察者にとって自身のシートポジションの選択にあたり制約が少なくなる。
【０００５】
慣用のヘッドアップディスプレイの虚像のサイズは、光学ユニットのサイズによって制限される。虚像を拡大するための１つのアプローチは、画像生成ユニットから到来する光を光導波体に入射させるというものである。画像情報を担持し光導波体に入射された光は、光導波体の界面で全反射させられ、そのようにして光導波体内部を案内される。これに加え、伝播方向に沿った多数のポジションでそれぞれ光の一部が出射され、その結果、画像情報が光導波体の面全体にわたり分散されて出射される。このようにして光導波体によって、射出瞳(Austrittspupille)の拡開が行われる。この場合、実効射出瞳は、画像生成システムの開口の像から合成される。
【０００６】
このような背景のもとで、米国特許出願公開第２０１６／０１２４２２３号明細書は、虚像表示装置について記載している。この表示装置は、以下のように作用する光導波体を含む。すなわちこの光導波体は、画像生成ユニットから到来し第１の光入射面を通して入射する光を繰り返し内面反射させて、第１の光入射面から離れる第１の方向で進行させる。さらにこの光導波体は、光導波体内を案内される光の一部が、第１の方向に延在する第１の光出射面の領域を通って外部に出射するように作用する。この表示装置はさらに、当射光を回折させ、回折させられた光が光導波体に入射するように作用する、第１の光入射側回折格子と、光導波体から入射する光を回折させる第１の光出射側回折格子とを含む。
【０００７】
光導波体をベースとする最新のヘッドアップディスプレイの場合には、入射および出射のために単純な格子ではなくホログラムが用いられる。この目的でたとえば、複屈折液晶層に埋め込まれたホログラムが用いられる。この液晶層は電気的にスイッチング可能である。これについての一般的な使用法は、液晶層の平面のスイッチオンおよびスイッチオフであり、その目的は、上下に配置された複数の光導波体を用いたときに、複数の色のためのシーケンシャルに動作する光源に従い入射を同期させることである。
【０００８】
複屈折液晶層をベースとするスイッチング可能な体積ホログラムを、たとえば適切なモノマーと液晶材料との混合物の光重合を用いて製造することができる。このために混合物が、平行な複数のガラス板またはプラスチック基板により形成されるセル内に挿入される。次いでセル内において、２つのレーザビームの重なり合いにより干渉パターンが生成される。干渉パターンの明領域では、干渉パターンの暗領域よりも速くモノマーが重合する。次いで描画プロセス中、さらなるモノマーが明領域内に拡散し、さらなるポリマーを形成する。これと同時に、さらなる液晶が暗領域内に拡散し、そこにおいて微小液滴いわゆるＬＣ液滴を形成する。このようにして、多数のかかる液晶液滴を有する領域と、主としてポリマーが存在している領域という形態で、相分離が生じる。次いで、交互に現れるこれらの領域によって、変調された屈折率プロフィルの形態で液晶層に格子構造が形成され、そこにおいて入射光を回折させることができる。
【０００９】
液晶層の上に電界を印加可能にし、それによって回折特性に作用を及ぼす目的で、セルのガラス板もしくは基板のところに、たとえばＩＴＯ層（ＩＴＯ：Ｉｎｄｉｕｍ  Ｔｉｎ  Ｏｘｉｄｅ；インジウムスズ酸化物）の形態で、透明電極を配置することができる。この場合、液晶液滴における液晶の配向が変化し、それによって縞の屈折率変調が低減され、適切な電界もしくは適切な材料であれば、液晶とポリマーとの間の屈折率整合により、それどころか完全に消滅する。その結果、入射光の偏向が行われなくなる。この場合、液晶液滴のサイズが小さいことから、短い切替時間を達成することができる。ホログラフの用途のために液晶液滴を使用することに関するその他の詳細な点について、文献［１］を参照されたい。
【００１０】
光の案内が特別な形態であることから、光導波体をベースとする既存のシステムは、それらのコントラスト特性に関して最適ではない。特に、散乱光として不所望な角度で画像生成ユニットから到来して入射される光が、光導波体内を案内され、その後、制御されずに不所望な角度範囲で出射される、という事例が発生する場合がある。
【００１１】
本発明の課題は、コントラスト特性を向上させることのできる、改良された光導波体およびかかる光導波体の制御方法を提供することにある。
【００１２】
この課題は、請求項１の特徴を備えた光導波体および請求項６の特徴を備えた方法によって解決される。従属請求項には本発明の好ましい実施形態が記載されている。
【００１３】
本発明の第１の態様によれば、表示装置のための光導波体は、
スイッチング可能な入射ホログラムと、
スイッチング可能な入射ホログラムをスイッチングする電極と
を有し、この場合、電極は電極アレイとして構成されている。
【００１４】
本発明のさらなる態様によれば、表示装置のための光導波体の制御方法において、制御ユニットを用いて、光導波体の入射ホログラムの電極アレイを、光導波体に光が入射されない領域が実現されるように制御する。
【００１５】
本発明による解決手段によれば、スイッチング可能な入射ホログラムを、単純な電極ではなく、入射ホログラムの部分領域に光が入射するのを阻止する電極アレイと組み合わせて用いることができる。それらの不活性領域では特に、光導波体に散乱光が入射する可能性もないことから、全体として入射される散乱光の量が最小限に抑えられる。この場合、表示装置による画像再生が妨害されないように、不活性領域を規定することができる。電極アレイを制御するために、好ましくは制御ユニットが設けられている。
【００１６】
本発明の１つの態様によれば、電極アレイはピクセル構造を有しており、このピクセル構造のピクセルは電圧源を介してスイッチング可能である。このピクセル構造によって、光導波体に光が入射されない領域を、ピクセル分解能の範囲内で極めて精密に規定することができる。
【００１７】
本発明の１つの態様によれば、ピクセルのスイッチングにより光導波体の活性層は、このピクセルに割り当てられた入射ホログラムのポジションで光導波体に光を入射可能な状態にされる。活性層はすでに設けられていることが多いので、この層を利用することによりごく僅かな付加的な構成要素だけしか用いずに、つまりは低コストで、本発明による解決手段を実装することができる。その際に２つのバリエーションを実現することができる。第１のバリエーションでは、電圧が加わっていない場所に光を入射させることができる。第２のバリエーションでは、光を入射させるために電圧を加える必要がある。
【００１８】
本発明の１つの態様によれば、光導波体の活性層は液晶液滴を有する。かかる液晶液滴は、ヘッドアップディスプレイ用の光導波体において使用するために目下すでに用いられ、したがって変更のためにコストを大幅に高めることなく、本発明による解決手段を補足的に実装することができる。しかも液晶液滴を、電圧の印加によって極めて適切に制御することができる。
【００１９】
本発明の１つの態様によれば、光導波体に光が入射されない領域は、表示すべき画像のうち、表示すべき画像内容が存在しない領域と一致する。それらの領域にはいずれにせよ画像内容の表示のために光を入射させる必要がないことから、それらの不活性領域は画像表示に対し妨害作用を及ぼさない。
【００２０】
本発明のさらなる態様によれば、虚像を生成する装置は、
画像を生成する画像生成ユニットと、
虚像を生成するためにミラーユニットに向けて画像を投影する光学ユニットと
を有しており、この場合、光学ユニットは、少なくとも１つの本発明による光導波体を有する。
【００２１】
本発明による光導波体によって、コントラスト特性が改善されたヘッドアップディスプレイを実現することができる。したがって特に有利であるのは、高いコントラストを必要とする環境において利用されるヘッドアップディスプレイにおいて使用することである。このことはたとえば、自動車において使用する場合に該当する。
【００２２】
好ましくは本発明による装置は、移動手段の操作者のために虚像を生成する目的で、移動手段において虚像を生成するために用いられる。移動手段をたとえば、自動車または航空機とすることができる。当然ながら本発明による解決手段を、別の環境においても、または別の用途のためにも、用いることができ、たとえばトラック、鉄道技術および公共近距離旅客輸送、クレーンおよび工事機械などにおいても、用いることができる。
【００２３】
以下の説明ならびに添付の特許請求の範囲に基づき図面を参照することで、本発明のさらなる特徴が明らかになる。
【図面の簡単な説明】
【００２４】
【図１】従来技術による自動車用ヘッドアップディスプレイを概略的に示す図である。
【図２】２次元で拡大された光導波体を示す図である。
【図３】光導波体を備えたヘッドアップディスプレイを概略的に示す図である。
【図４】光導波体を備えた自動車におけるヘッドアップディスプレイを概略的に示す図である。
【図５】電極アレイを備えた本発明による光導波体を示す図である。
【図６】表示すべき画像を電極アレイのピクセルマトリックスに関連させて概略的に示す図である。
【図７】電極アレイのピクセルマトリックスによって実現された不活性領域と活性領域とを概略的に示す図である。
【図８】図５による光導波体の制御方法を概略的に示す図である。
【００２５】
発明を実施するための形態
本発明の原理について理解を深めるために、以下では図面に基づき本発明の実施形態を詳しく説明する。図中、同じ構成要素または同じ働きをする構成要素に対し同じ参照符号が用いられ、それらについては必ずしも図面ごとに新たに説明しない。自明のとおり、本発明は図示されている実施形態に限定されるものではなく、ここで説明する特徴を、添付の特許請求の範囲において定義されているような本発明の保護範囲から逸脱することなく、組み合わせることもできるし、または変形することもできる。
【００２６】
最初に図１〜図４に基づき、光導波体を備えたヘッドアップディスプレイの基本的着想について説明する。
【００２７】
図１には、従来技術による自動車用ヘッドアップディスプレイの原理図が示されている。このヘッドアップディスプレイは、画像生成器１と光学ユニット２とミラーユニット３とを有する。表示素子１１からビーム束ＳＢ１が発せられ、これは折り返しミラー２１により湾曲ミラー２２に向けて反射させられ、湾曲ミラー２２はビーム束ＳＢ１をミラーユニット３の方向に反射させる。ミラーユニット３はここでは、自動車のフロントガラス３１として示されている。そこからビーム束ＳＢ２は、観察者の目６１の方向に達する。
【００２８】
観察者は、自動車の外側でボンネット上方またはそれどころか自動車前方に位置する虚像ＶＢを見る。光学ユニット２とミラーユニット３との共働により、虚像ＶＢは表示素子１１により表示された画像の拡大表示である。ここでは速度制限、目下の車両速度ならびにナビゲーション指示がシンボルで表示されている。矩形により示唆されたアイボックス６２内に目６１が位置しているかぎり、虚像のすべての要素を目６１で見ることができる。目６１がアイボックス６２の外側に位置していると、虚像ＶＢは観察者には部分的にしか見えず、またはまったく見えない。アイボックス６２が大きくなればなるほど、観察者にとって自身のシートポジションの選択にあたり制約が少なくなる。
【００２９】
湾曲ミラー２２の湾曲はフロントガラス３１の湾曲に整合されており、これにより画像のゆがみがアイボックス６２全体にわたり安定するよう配慮される。湾曲ミラー２２は、支承部２２１により旋回可能に支承されている。これにより湾曲ミラー２２が回転可能になることで、アイボックス６２をシフトさせることができるようになり、したがってアイボックス６２のポジションを目６１のポジションに整合させることができるようになる。折り返しミラー２１の役割は、表示素子１１と湾曲ミラー２２との間でビーム束ＳＢ１が辿る経路が長くなるようにし、同時に光学ユニット２が結果としてコンパクトになるようにすることである。光学ユニット２は、透明なカバー２３によって周囲に対し仕切られている。したがって光学ユニット２の光学素子は、たとえば車両の内部空間に存在する埃から保護されている。さらにカバー２３の上には、光学シートもしくは偏光子２４が設けられている。表示素子１１は一般に偏光されており、ミラーユニット３は検光子のように作用する。したがって偏光子２４の目的は、有効光の均等な可視性を達成するように偏光に作用を及ぼすことである。防眩素子２５の役割は、カバー２３の界面を介して反射させられる光を確実に吸収して、観察者の眩惑が引き起こされないようにすることである。太陽光ＳＬ以外に、他の妨害光源６４の光も表示素子１１に到達する可能性がある。偏光フィルタと組み合わせて、入射する太陽光ＳＬをカットするために偏光子２４を付加的に利用することもできる。
【００３０】
図２には、２次元で拡大された光導波体５が立体表示で概略的に示されている。左下の領域に入射ホログラム５３が示されており、これを用いることで、図示されていない画像生成ユニットから到来する光Ｌ１が光導波体５に入射される。この光導波体５において図面では右上に向かって、矢印Ｌ２に従い光が伝播する。光導波体５のこの領域には折り返しホログラム５１が設けられており、これは相前後して配置された多数の半透過性ミラーと似たように作用し、Ｙ方向に拡がりＸ方向に伝播する光束を生成する。このことは３つの矢印Ｌ３によって示唆されている。図面では右に向かって延びている光導波体５の部分に出射ホログラム５２が設けられており、これもやはり相前後して配置された多数の半透過性ミラーと似たように作用し、矢印Ｌ４で示唆された光をＺ方向で上方に向けて光導波体５から出射させる。この場合、入射した元々の光束Ｌ１が、２次元で拡大された光束Ｌ４として光導波体５から離れるように、Ｘ方向での拡がりが発生する。
【００３１】
図３には、３つの光導波体５Ｒ、５Ｇ、５Ｂを備えたヘッドアップディスプレイが、立体表示で概略的に示されており、これらの光導波体は上下に位置するように配置されており、赤色、緑色および青色というそれぞれ１つの基本色のために設けられている。これらの光導波体が合わさって光導波体５を成している。光導波体５内に設けられているホログラム５１、５２、５３は波長依存性であり、したがってそれぞれ１つの光導波体５Ｒ、５Ｇ、５Ｂが基本色のうちの１つのために用いられる。光導波体５の上方に、画像生成器１および光学ユニット２が示されている。光学ユニット２はミラー２０を有しており、このミラー２０によって、画像生成器１により生成され光学ユニット２により成形された光が、個々の入射ホログラム５３の方向に偏向される。画像生成器１は、３つの基本色のための３つの光源１４Ｒ、１４Ｇ、１４Ｂを有する。ここでわかるのは、図示されているユニット全体はその光放射面に比べて僅かな構造全高を有する、ということである。
【００３２】
図４には、図１と同様に自動車におけるヘッドアップディスプレイが、ただしここでは立体表示で光導波体５と共に示されている。この図からわかるように、ミラー面５２３を用いて光導波体５に入射される平行なビーム束ＳＢ１を生成する画像生成器１が概略的に示唆されている。簡略化するため、光学ユニットは図示されていない。複数のミラー面５２２によって、それらに当射する光のそれぞれ一部がフロントガラス３１すなわちミラーユニット３の方向に反射させられる。そこから光は目６１の方向に反射させられる。観察者は、ボンネット上方もしくは自動車前方のさらに隔たった距離のところで虚像ＶＢを見る。この技術の場合にも、光学系全体が１つのハウジング内に組み込まれており、このハウジングは透明なカバーによって周囲に対し仕切られている。図１のヘッドアップディスプレイにおいてすでに示したように、このカバーの上に位相子を配置することができる。
【００３３】
図５には、入射ホログラム５３、折り返しホログラム５１および出射ホログラム５２を備えた本発明による光導波体５が示されている。入射ホログラム５３には電極アレイ７０が設けられている。電極アレイ７０はピクセルマトリックス７１を有しており、たとえば構造形成されたＩＴＯ層の形態でトランジスタと共にガラス基板上において実現することができる。ピクセルマトリックス７１のピクセル７２を、個別にスイッチングすることができる。この目的で、ピクセル７２が光導波体５の入射ホログラム５３に対し電圧が発生するように、それらのピクセル７２を電圧源７３と接続することができる。ピクセル７２の制御は、制御ユニット７４によって行われる。ピクセル７２のスイッチングにより、光導波体５の活性層内に存在する入射ホログラム５３の液晶液滴は、入射光Ｌ１を光導波体５の活性部分に入射させることができるようになり、つまり入射光Ｌ１を偏向または回折させることができるようになる。その際に２つのバリエーションを実現することができる。第１のバリエーションでは、電圧が加わっていない場所に光Ｌ１を入射させることができる。第２のバリエーションでは、光Ｌ１を入射させるために電圧を加える必要がある。
【００３４】
図６には、表示すべき画像７５が電極アレイのピクセルマトリックス７１に関連させて概略的に示されている。ここで明確にわかるのは、表示すべき画像７５のうち比較的僅かな部分のみに、実際にやはり表示すべき画像内容７６が存在している、ということである。図示の実施例の場合にはこれは、速度情報「１２０」およびそれに属する度量衡単位「ｋｍ／ｈ」ならびに警告標識である。
【００３５】
図７には、電極アレイのピクセルマトリックス７１によって実現された不活性領域７７と活性領域７８とが概略的に示されている。ピクセルマトリックス７１の個々のピクセル７２において電圧を加えるまたは取り除くことによって、不活性領域７７が規定され、この領域では光が光導波体に入射されない。同様に活性領域７８が実現され、この領域では光が光導波体に入射される。その際、表示すべき画像７５の表示すべき画像内容７６への活性領域７８の空間的割り当てが実現されるように、ピクセルマトリックス７１のピクセル７２がスイッチングされる。活性領域７８においてしか散乱光が光導波体に入射する可能性はないので、この措置により全体として入射される散乱光の量が低減される。図７の場合、不活性領域７８もしくは活性領域の境界は、ピクセルマトリックス７１のピクセル分解能の範囲内で、表示すべき画像内容７６の輪郭に正確に追従する。ただしこれらの境界が、境界ボックスとも呼ばれる境界枠によって規定されるようにすることも考えられる。それらの境界枠は、表示すべき個々の画像内容７６、表示すべき画像内容７６のグループ、または表示すべき画像内容７６全体を取り囲むことができる。
【００３６】
図８には、図５による光導波体の制御方法が概略的に示されている。この方法をたとえば、図５に示した制御ユニットによって実施することができる。ただし別の選択肢として、画像生成ユニットのプロセッサもこの目的で使用することができ、その場合にはこのプロセッサは相応の指示を制御ユニットに送出する。第１のステップにおいて、表示すべき画像を受信する（Ｓ１）。次いで表示すべき画像のうち、表示すべき画像内容が存在していない領域を特定する（Ｓ２）。これに続いて、光導波体の電極アレイを特定された領域に従ってスイッチングし（Ｓ３）、つまり電極アレイのピクセルマトリックスのピクセルを所期のように活性化または不活性化する。
【００３７】
参考文献
［１］Y. J. Liu等著："Holographic Polymer-Dispersed Liquid Crystals: Materials, Formation, and Applications", Advances in OptoElectronics, Volume 2008, Article ID 684349
【符号の説明】
【００３８】
１  画像生成器／画像生成ユニット
１１  表示素子
１４、１４Ｒ、１４Ｇ、１４Ｂ  光源
２  光学ユニット
２０  ミラー
２１  折り返しミラー
２２  湾曲ミラー
２２１  支承部
２３  透明なカバー
２４  光学シート／偏光子
２５  防眩素子
３  ミラーユニット
３１  フロントガラス
５  光導波体
５１  折り返しホログラム
５２  出射ホログラム
５２２  ミラー面
５２３  ミラー面
５３  入射ホログラム
５４  基板
５５  カバー層
５６  ホログラム層
６１  目／観察者
６２  アイボックス
６４  妨害光源
７０  電極アレイ
７１  ピクセルマトリックス
７２  ピクセル
７３  電圧源
７４  制御ユニット
７５  表示すべき画像
７６  表示すべき画像内容
７７  不活性領域
７８  活性領域
Ｌ１〜Ｌ４  光
Ｓ１  表示すべき画像を受信する
Ｓ２  表示すべき画像内容が存在しない領域を特定する
Ｓ３  特定の領域に従い電極アレイをスイッチングする
ＳＢ１、ＳＢ２  ビーム束
ＳＬ  太陽光
ＶＢ  虚像
【図１】
2021528682.tif 000003
【図２】
2021528682.tif 000004
【図３】
2021528682.tif 000005
【図４】
2021528682.tif 000006
【図５】
2021528682.tif 000007
【図６】
2021528682.tif 000008
【図７】
2021528682.tif 000009
【図８】
2021528682.tif 000010
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
表示装置のための光導波体（５）の制御方法であって、
制御ユニット（７４）を用いて、前記光導波体（５）のスイッチング可能な入射ホログラム（５３）をスイッチングする電極アレイ（７０）を、前記光導波体（５）に光（Ｌ１）が入射されない領域（７７）が実現されるように制御し（Ｓ３）、
前記光導波体（５）に光（Ｌ１）が入射されない前記領域（７７）は、表示すべき画像（７５）のうち、画像生成ユニット（１）により生成される画像内容（７６）が存在しない領域と一致する、
表示装置のための光導波体（５）の制御方法。
【請求項２】
前記電極アレイ（７０）はピクセル構造を有しており、該ピクセル構造のピクセルを、電圧源（７３）を介してスイッチングする、請求項１記載の方法。
【請求項３】
ピクセルのスイッチングにより前記光導波体（５）の活性層を、前記ピクセルに割り当てられた前記入射ホログラム（５３）のポジションで前記光導波体（５）に光（Ｌ１）を入射可能な状態にされる、請求項２記載の方法。
【請求項４】
前記光導波体（５）の前記活性層は液晶液滴を有する、請求項３記載の方法。
【請求項５】
虚像（ＶＢ）を生成する装置であって、
画像を生成する画像生成ユニット（１）と、
前記虚像（ＶＢ）を生成するためにミラーユニット（３）上に前記画像を投影する光学ユニット（２）と、
スイッチング可能な入射ホログラム（５３）と、スイッチング可能な該入射ホログラム（５３）をスイッチングする電極アレイ（７０）とを備え、射出瞳を拡開する光導波体（５）と、
前記光導波体（５）に光（Ｌ１）が入射されない領域（７７）が実現されるよう、前記電極アレイ（７０）を制御する（Ｓ３）ように構成された制御ユニット（７４）と
を備え、
前記光導波体（５）に光（Ｌ１）が入射されない前記領域（７７）は、表示すべき画像（７５）のうち、画像生成ユニット（１）により生成される画像内容（７６）が存在しない領域と一致する、
虚像（ＶＢ）を生成する装置。
【請求項６】
前記電極アレイ（７０）はピクセル構造を有しており、該ピクセル構造のピクセルは電圧源（７３）を介してスイッチング可能である、請求項５記載の装置。
【請求項７】
ピクセルのスイッチングにより前記光導波体（５）の活性層は、前記ピクセルに割り当てられた前記入射ホログラム（５３）のポジションで前記光導波体（５）に光（Ｌ１）を入射可能な状態にされる、請求項６記載の装置。
【請求項８】
前記光導波体（５）の前記活性層は液晶液滴を有する、請求項７記載の装置。
【請求項９】
移動手段の操作者に対し虚像（ＶＢ）を生成するために請求項５から８までのいずれか１項記載の装置を備えた移動手段。
【国際調査報告】
2021528682.tif 000011
2021528682.tif 000012
2021528682.tif 000013
2021528682.tif 000014